(57)【要約】【課題】  可撓性の光ディスクの回転振れを抑制し、かつディスク両面の記録再生を可能とする光ディスク装置を実現すること。【解決手段】  可橈性を有する光ディスク３を回転させる駆動手段と、光ディスク３の面に対向して配置され、記録又は再生を行うヘッド７と、このヘッド７のディスク上流側と下流側に光ディスク３を両面側から挟んで対向して配置される二対の平板状の安定化部材１３とを備えるようにする。これにより、光ディスク３は、ヘッド７のディスク上流側と下流側において安定化されるため、ヘッド７と対向するディスク面の回転振れが抑制され、ディスクを平坦化できる。【選択図】    図２
2006286050.tif 000002
【特許請求の範囲】
【請求項１】
可橈性を有する光ディスクを回転させる駆動手段と、前記光ディスクの面に対向して配置され記録又は再生を行うヘッドと、前記ヘッドのディスク上流側と下流側に前記光ディスクを両面側から挟んで対向して配置される二対の平板状の安定化部材とを備えてなる光ディスク装置。
【請求項２】
前記安定化部材は、前記光ディスクとの対向面が前記ディスクの外縁に向かって拡がって扇形に形成されてなる請求項１に記載の光ディスク装置。
【請求項３】
前記安定化部材は、ディスク回転方向の上流側に向かってディスク対向面と前記光ディスクとの間隙が末広がりに形成されてなる請求項１又は２に記載の光ディスク装置。
【請求項４】
前記ヘッドは前記光ディスクの両面側に配置され、該ヘッドを支持して前記光ディスクの半径方向に駆動させる支持アームは、前記安定化部材を挟んで前記光ディスクと反対側に位置させてそれぞれ設けられてなる請求項１に記載の光ディスク装置。
【請求項５】
前記光ディスクのそれぞれの面側に配置される２つの安定化部材は、それぞれ平板状の支持部材に支持され、該支持部材は、前記光ディスクに対して接離する方向に移動する移動手段を備えてなる請求項１に記載の光ディスク装置。
【請求項６】
前記移動手段は、前記光ディスクの回転数が設定値に達したとき、前記安定化部材を前記光ディスクに近接させることを特徴とする請求項５に記載の光ディスク装置。
【請求項７】
前記支持部材は、前記光ディスクを挟んで対向される前記支持部材との間隙を規制する突起が設けられてなる請求項５に記載の光ディスク装置。
【請求項８】
可橈性を有する光ディスクを回転させる駆動手段と、前記光ディスクの回転によってディスク面から浮上して記録又は再生を行うスライダと、前記スライダのディスク上流側と下流側に前記光ディスクを両面側から挟んで対向配置される二対の平板状の安定化部材と、前記光ディスクの一方の側に配置される２つの前記安定化部材を支持する平板状の支持部材と、前記スライダを支持して前記光ディスクの半径方向に駆動させる支持アームとを備え、
前記支持アームは、前記支持部材の前記光ディスクと反対側に連結支持され、前記スライダを支持する柔軟性を備えたジンバル部と、該ジンバル部と連結されて前記スライダに設定荷重を付与するロードビームとを有してなる光ディスク装置。
【請求項９】
前記スライダは、前記安定化部材が待機位置にあるとき、前記支持部材によって係止され、前記安定化部材が前記光ディスクと所定の間隙に接近したとき、前記係止を解くように係止片が設けられていることを特徴とする請求項８に記載の光ディスク装置。
【発明の詳細な説明】
【技術分野】
【０００１】
本発明は、光ディスク装置に係り、特に、可撓性を有する光ディスクを用いた光ディスク装置に関する。
【背景技術】
【０００２】
光学的情報記録媒体として光ディスクを用いた情報記録装置が知られている。この情報記録装置は、対物レンズを搭載した光学ヘッドを用いて光ディスクに対して情報信号の記録、読み取りを行うものである。
【０００３】
このような情報記録装置においては、光ディスクの高密度記録化を実現するために、対物レンズと光ディスクの記録面との距離が小さく設定されている。ここで、一般に、光ディスクは、厚さが１．２ｍｍ程度の基板が使用され、変形に対して十分な剛性を備えている。しかしながら、光ディスクの回転初期においては回転振れ等の変形が生じる場合があり、近接する対物レンズと光ディスクが衝突し、光ピックアップの故障や光ディスクの記録面の損傷等を引き起こすおそれがある。
【０００４】
そこで、例えば、光ディスクの基板厚さを０．０５〜０．６ｍｍ程度の可撓性を有する構造とし、流体力学的な安定化部材を光ディスクに対し対物レンズと反対側に対向させて設けることで、回転振れを抑える技術が報告されている（特許文献１参照）。
【０００５】
一方、光ディスクの高密度記録化の手段として、例えば、対物レンズを備えたスライダを用いる光ディスク装置が開示されている（例えば、特許文献２参照）。このスライダは、光ディスクの高速回転により生じる空気流の圧力上昇によってディスク表面から浮上力を生じさせ、スライダをディスク面側に弾力的に押し付ける押付力と均衡したところで、浮上位置が定まり、ディスク表面からわずかに浮上した状態が保たれる。
【０００６】
【特許文献１】特開２００３−１１５１０８号公報
【特許文献２】特開２００４−１５２４２２号公報
【発明の開示】
【発明が解決しようとする課題】
【０００７】
ところで、将来的には、光ディスク１枚当たりの記憶容量を増加させるため、ディスクの両面記録が必須になる。しかし、特許文献１においては、ディスク安定化部材を光ディスクに対し対物レンズと反対面側に配置しているため、光ディスクを記録再生する側の安定化は可能であるが、光ディスクの両面を安定化させて記録再生することは不可能となる。
【０００８】
また、特許文献２において、スライダの浮上特性の観点から浮上箇所のディスク表面はできる限り平坦であることが望ましいが、特許文献１の例では、光ディスクの記録再生する箇所が変形し、ディスクの平坦性を保つことが困難であるため、良好な浮上特性を得ることができない。
【０００９】
本発明は、可撓性の光ディスクの回転振れを抑制し、かつディスク両面の記録再生を可能とする光ディスク装置を実現することを課題とする。
【課題を解決するための手段】
【００１０】
まず、本発明の原理について説明する。例えば、回転する光ディスクにディスクとの対向面が平面状の安定化部材を近接させて配置すると、空気流がディスク面と安定化部材との間隙に流入し、圧縮されてスクイーズ効果が発生する。そして、ディスクの両面側を安定化部材で近接に挟んで対向して配置することにより、光ディスクは両面に均等の圧力がかかる位置、つまり対向する安定化部材の中央位置で保持される。
【００１１】
そこで、本発明の光ディスクは、この原理を利用して、可橈性を有する光ディスクを回転させる駆動手段と、光ディスクの面に対向して配置され記録又は再生を行うヘッドと、ヘッドのディスク上流側と下流側に光ディスクを両面側から挟んで対向して配置される二対の平板状の安定化部材とを備えることを特徴とする。
【００１２】
これにより、光ディスクの回転振れはヘッドのディスク上流側と下流側に配置された二対の安定化部材によって抑制される。その結果、ヘッドと対向するディスク面の振動や初期的な変形が抑制され、光ディスクとヘッドとの相対位置を安定に保持できる。また、本発明によれば、光ディスクを介してヘッドと反対側に安定化部材を配置する必要がないため、光ディスクの両面を記録再生に用いることができる。
【００１３】
この場合において、安定化部材は、例えば、光ディスクとの対向面がディスクの外縁に向かって拡がって扇形に形成されることが好ましい。これによれば、ヘッドのディスク上流側と下流側の広い範囲でディスク面が安定化されるため、ヘッドと対向するディスク面の位置を一層安定化することができる。
【００１４】
また、安定化部材は、ディスク回転方向の上流側に向かってディスク対向面と光ディスクとの間隙が末広がりに形成されていることが好ましい。これによれば、空気流が容易に流入し、安定した空気圧力を発生できる。
【００１５】
また、ヘッドは光ディスクの両面側に配置され、ヘッドを支持して光ディスクの半径方向に駆動させる支持アームは、安定化部材を挟んで光ディスクと反対側に位置させてそれぞれ設けられるようにする。これにより、ディスク面上の空気の流れは、安定化部材のディスク対向面によってのみ決定されるため、支持アーム等が空気の流れに影響することがない。
【００１６】
また、光ディスクのそれぞれの面側に配置される２つの安定化部材は、それぞれ平板状の支持部材によって支持され、この支持部材は、光ディスクに対して接離する方向に移動する移動手段を備えるようにする。こうすることで、例えば、光ディスクを光ディスク装置内のスピンドルに装着する際や取り外す際に、一方の支持部材を移動させ、光ディスクが移動できる空間を作ることができる。
【００１７】
また、この移動手段は、光ディスクの回転数が設定値に達したとき、安定化部材を光ディスクに近接させるようにすることが好ましい。すなわち、光ディスクは可橈性を有するため、スピンドルに装着する際に自重により撓みが生じ、下側の支持部材と接触して光ディスクが損傷するおそれがある。そこで、光ディスクが所定の回転数に達して遠心力により自重によるディスク撓みが低減されてから、ディスクの両面側の安定化部材をディスク面に近づけることにより、光ディスクと安定化部材との接触が回避され、信頼性を向上することができる。
【００１８】
また、支持部材は、光ディスクを挟んで対向される支持部材との間隙を規制する突起が設けられていることが好ましい。これによれば、支持部材が所定の位置に移動する際に、例えば、一方の支持部材に形成される突起の端面が他方の支持部材に当接することで、支持部材同士の間隙を規制できる。このため、光ディスクと支持部材、つまり安定化部材との間隙のばらつきが小さくなり、光ディスクの変形を十分に抑制し、かつディスクと支持部材との接触を回避できる。なお、突起は一方の支持部材に形成される場合に限定されず、両方の支持部材に形成されていてもよい。
【００１９】
また、本発明によれば、ディスク面の記録再生部分を一定位置に保持できるため、ヘッドは、例えば、固定された光ピックアップに限定されず、エバネッセント光の技術を応用した浮上式のスライダを用いるようにしてもよい。例えば、可橈性を有する光ディスクを回転させる駆動手段と、光ディスクの回転によってディスク面から浮上して記録又は再生を行うスライダと、スライダのディスク上流側と下流側に光ディスクを両面側から挟んで対向配置される二対の平板状の安定化部材と、光ディスクの一方の側に配置される２つの安定化部材を支持する平板状の支持部材と、スライダを支持して光ディスクの半径方向に駆動させる支持アームとを備え、この支持アームは、支持部材の光ディスクと反対側の面に連結支持され、スライダを支持する柔軟性を備えたジンバル部と、ジンバル部と連結されてスライダに設定荷重を付与するロードビームとを有するようにしてもよい。
【００２０】
この場合において、スライダは、安定化部材が待機位置にあるとき、支持部材によって係止され、安定化部材が光ディスクと所定の間隙に接近したとき、係止を解くように係止片が設けられていることが好ましい。
【発明の効果】
【００２１】
本発明によれば、可撓性の光ディスクの回転振れを抑制し、かつディスク両面の記録再生を可能とする光ディスク装置を実現できる。
【発明を実施するための最良の形態】
【００２２】
（第１の実施形態）
以下、本発明を適用してなる光ディスク装置の第１の実施形態について図を参照して説明する。図１は、本発明を適用してなる光ディスク装置の概略を示す斜視図である。図２は、本発明を適用してなる光ディスク装置の正面図である。図３は、図１の光ディスク装置においてスタビライザのディスク対向面を示す斜視図である。図４は、本発明を適用してなる光ディスク装置の動作を説明する図である。図５は、本発明を適用してなる光ディスク装置のスタビライザの移動機構を説明する断面図である。図６は、図５と異なる他の態様を説明する断面図である。
【００２３】
本実施形態の光ディスク装置１は、可橈性の光ディスク３をスピンドル５の駆動により回転させて、光ディスク３の両面に対して情報の記録及び再生を行うものである。この光ディスク装置１は、図に示すように、光ディスク３の両面側に、集光レンズとして機能する対物レンズを有する光ピックアップ７と、この光ピックアップ７を光ディスク３の半径方向に移動させる支持アーム９と、光ディスク３の面と対向して配置されるスタビライザ１１とをそれぞれ備えている。
【００２４】
記録再生部である光ピックアップ７の移動範囲には、スタビライザ１１に切欠きが形成されており、支持アーム９に支持された光ピックアップ７は、光ディスク３の半径方向に移動できるようになっている。支持アーム９は、スタビライザ１１のディスク反対側に固定されたガイドレール１０によって両端がスライド可能に支持されている。また、支持アーム９の一端には、例えば、スライド方向に、ボールねじ１５が螺合され、このボールねじ１５に連結された送りモータ１７が正逆回転することにより、ガイドレール１０上を支持アーム９が移動するようになっている。このように、スタビライザ１１と光ピックアップ７の相対的な位置関係を明確にすることで、構成部品の製造ばらつきを抑制し、光ピックアップ７のディスク面の鉛直方向の位置誤差を低減できるため、記録密度を高くできる。
【００２５】
また、スラビライザ１１のディスク対向面には、光ピックアップ７の上流側と下流側において、ディスク面に向かって突出する扇形の安定化部材１３が形成されている。この安定化部材１３は、ディスク面を両面側から挟んで対向して配置されている。また、安定化部材１３は、ディスク回転方向の上流側に向かってディスク対向面が末広がりに形成され、例えば、テーパ部２５が設けられている。なお、本実施形態では、安定化部材１３を扇形に形成し、テーパ部２５を設けているが、これらに限定されるものではなく、例えば、矩形に形成された安定化部材のディスク上流側の角部を曲率に形成するようにしてもよい。
【００２６】
次に、本実施形態の光ディスク装置１の動作について図４を用いて説明する。光ディスク３の回転に伴い、空気が安定化部材１３と光ディスク３の対向面との間隙（ディスク回転上流側）に流入すると、圧縮された空気によってスクイーズ効果を発生する。このため、光ディスク３は、両面側から均等に空気圧がかかる位置、つまりスタビライザ１１ａと１１ｂとの間隙の中央位置に保持される。そして、光ディスク３は光ピックアップ７のディスク上流側と下流側において、それぞれ安定化されるため、光ピックアップ７と対向するディスク面の振動や初期的変形が抑制され、光ディスク３を平坦化することができる。更に、本実施形態によれば、光ディスク３を介して光ピックアップ７と反対側に安定化部材１３等を配置する必要がないため、光ディスク３の両面を記録再生することができる。
【００２７】
また、本実施形態では、光ピックアップ７の駆動手段をスタビライザ１１の光ディスク３と反対側の面に設けているため、ディスク面上の空気の流れは、安定化部材１３のディスク対向面によってのみ決定され、支持アーム９等が空気の流れに影響することがない。よって、スタビライザ１１による光ディスク３の安定化が容易になる。
【００２８】
また、本実施形態では、スタビライザ１１ａと１１ｂをガイド１９に沿ってディスク面と鉛直方向に移動できるようになっている。これにより、光ディスク３をスピンドル５に装着する際や取り外す際に、例えば、スタビライザ１１ｂを上方に移動させて開放し、光ディスク３を移動させることができる。ここで、スタビライザ１１ａ，１１ｂは、ガイド１９及びスタビライザ駆動モータ２１によりディスク面の鉛直方向に別々に移動できるようになっている。
【００２９】
また、可橈性の光ディスク３は剛性が低いため、スピンドル５に装着した際に自重により撓みが生じ、例えば、下側に配置されるスタビライザ１１ａと接触して光ディスク３が損傷するおそれがある。しかし、同様に、剛性が低いことから、光ディスク３の回転に伴い発生する遠心力によって光ディスク３が外周側に引っ張られる状態となり、自重による撓みが低減される。このため、上下のスタビライザ１１ａ，１１ｂをディスク面と鉛直方向に個別に移動可能とし、光ディスク３をスピンドル５に装着する際には上側のスタビライザ１１ｂだけでなく、下側のスタビライザ１１ａもディスク面から所定の間隔を置いて待機させておく。そして、光ディスク３が設定された回転数に達し遠心力により自重によるディスク撓みが低減された後、スタビライザ１１ａ，１１ｂをそれぞれ所定の位置まで移動させることにより、光ディスク３とスタビライザ１１の接触を回避し、信頼性を高めることができる。
【００３０】
本実施形態においては、安定化部材１３と光ディスク３を所定の近接間隔に保持することは、光ディスク３の安定化のために必須となる。しかし、スタビライザ１１は光ディスク３の装着や接触回避のためにディスク面と鉛直方向に移動する必要があり、光ディスク３とスタビライザ１１との間隔がばらつくと、光ディスク３が十分に安定化できなくなるおそれがある。また、光ディスク３とスタビライザ１１との間隔が小さすぎると光ディスク３とスタビライザ１１が接触して光ディスク３が損傷するおそれがある。
【００３１】
このため、スタビライザ１１ａ，１１ｂは、両方又はいずれか一方において、ディスク対向面の四隅に間隔保持突起２３が設けられている。この間隔保持突起２３は、スラビライザ１１ａ，１１ｂの両方又はいずれか一方が移動して両者の間隔が減少する際に、間隔保持突起２３の端面が対向するスタビライザ１１のディスク対向面に接触することで、両者の間隔を拘束できる。なお、間隔保持突起２３は、一方のスタビライザ１１にのみ設けてもよいし、半分の高さの突起を両方のスタビライザ１１に設けるようにしてもよい。
【００３２】
更に、図５に示すように、スタビライザ１１ｂに設けた間隔保持突起２３に加えて、筐体３１に固定されるストッパ３３を用いてスタビライザ１１ａの移動を規制して、スタビライザ１１ａと光ディスク３の間隔のばらつきを小さくすることができる。このストッパ３３は、基部が筐体３１に固定され、スタビライザ１１の移動方向、つまり筐体３１の鉛直方向に立ち上げて、スタビライザ１１の外側から断面Ｌ字状に内側に折り曲げてなる凸条部３４を備えている。
【００３３】
具体的には、まず、下側のスタビライザ１１ａが上方向に移動して、ディスク対向面に凸条部３４が接触することで、スタビライザ１１ａの位置がスピンドル５に対して拘束される。次に、上側のスタビライザ１１ｂが下方向に移動して間隔保持部材２３が下側のスタビライザ１１ａのディスク対向面と接触する。これにより、下側のスタビライザ１１ａと上側のスタビライザ１１ｂの間隔が拘束されて、光ディスク３と上下のスタビライザ１１ａ，１１ｂの位置がそれぞれ拘束される。このような構成にすることで、スタビライザ１１と光ディスク３を設定された間隔に保持することが容易になり、光ディスク３を十分に安定化させ、かつ光ディスク３とスタビライザ１１の接触を回避することができる。なお、図５の例では、下側のスタビライザ１１ａのみストッパ３３で拘束しているが、上側のスタビライザ１１ｂをストッパ３３で拘束するようにしてもよい。
【００３４】
また、図６に示すように、ディスク面の鉛直方向に２段の凸条部３５，３７を有するストッパ３９を設け、一つのストッパで上下両方のスタビライザ１１ａ，１１ｂの位置を拘束する構成としてもよい。
【００３５】
表１に、図１の構成の光ディスク装置１を用いた実験結果を示す。本実験で使用した光ディスク３は、ＰＥＴ（ポリエチレンテレフタレート）製で、外径９０ｍｍ、厚さ０．１７ｍｍのものである。測定値は半径４０ｍｍの点の光ピックアップ７に相当する箇所の光ディスク３の上下変位をレーザ変位計にて測定した。光ディスク３の回転数は毎分２１００回転とした。これらの条件において、安定化部材１３と光ディスク３との間隔を１ｍｍ、０，８ｍｍの２条件について測定し、比較として安定化部材１３がない場合について測定した。
【００３６】
表１に示すように、安定化部材１３がない場合のディスクの変位振幅は、４６４μｍであるのに対し、安定化部材１３と光ディスク３との間隔が１ｍｍの場合は３３７μｍ、０．８ｍｍの場合は２７０μｍとなった。この結果より、安定化部材１３による効果が認められた。
【００３７】
【表１】
2006286050.tif 000003
以上述べたように、本実施形態によれば、光ディスク３は、光ピックアップ７のディスク上流側と下流側において安定化されるため、光ピックアップ７と対向するディスク面において回転による振動や初期的な変形が抑制され、光ディスク３を一定位置に保持できる。更に、本実施形態によれば、光ディスク３を介して光ピックアップ７と反対側に安定化部材を配置する必要がないため、光ディスクの両面を記録再生に用いることができる。
【００３８】
（第２の実施形態）
次に、本発明を適用してなる光ディスク装置の第２の実施形態について図を参照して説明する。図７は、本発明を適用してなる光ディスク装置の浮上スライダ及びその駆動部の構成を示す斜視図である。図８は、本発明を適用してなる光ディスク装置の断面図である。
【００３９】
本実施形態においては、第１の実施形態で述べたように、光ディスク３の両面側の記録再生部分の上流側と下流側に、可橈性の光ディスク３を挟んで安定化部材１３をそれぞれ対向させて配置することにより、光ディスク３の記録再生部に直接負荷を与えることなく、ディスクを安定化して平坦面が確保することができる。これにより、第１の実施形態の光ピックアップ７に代えてエバネッセント光の技術を応用した浮上スライダ４１を用いることができる。
【００４０】
浮上スライダ４１を用いる場合には、図１と同様、スタビライザ１１の光ディスク３と反対側の面に駆動部４４を設けるとともに、浮上スライダ４１を保持するサスペンション機能を有する支持アーム４３を光学ユニット４２に搭載すればよい。具体的な例を図７と図８に示す。ここで、図７については、サスペンション１３と浮上スライダ４１の位置関係を明確にするために光学ユニット４２は表示していない。また、図８では、第１の実施形態と同一部分については、同一符号を付して説明を省略する。
【００４１】
浮上スライダ４１には、集光レンズとして機能する対物レンズが備えられている。浮上スライダ４１は、駆動部４４に連結された支持アーム４３によって支持され、スタビライザ１１の切り欠き部に沿って光ディスク３の半径方向に駆動されるようになっている。支持アーム４３は、図示しないが、例えば、周知のように、浮上スライダ４１を柔軟に支持するジンバル部と、ジンバル部と連結されて支持するとともに浮上スライダ４１に設定荷重を付与するロードビームとを備えて構成される。
【００４２】
浮上スライダ４１は、図４で説明した原理と同様に、ディスク回転上流側と下流側に安定化部材１３が配置された光ディスク３の記録再生領域において、ディスクの回転に伴って発生する空気流によってディスク面から浮上する。この領域は、浮上スライダ４１に対しディスク回転上流側と下流側において安定化部材１３により安定化され、光ディスク４の回転振れ等の撓みが生じにくいため、良好な浮上特性を得ることができる。
【００４３】
一方、浮上スライダ４１は、光ディスク３の回転に伴う空気流による浮上力とバランスするように、支持アーム４３からディスク面に押し付ける方向の力が働いている。このため、浮上スライダ４１に浮上力が発生していない場合は、浮上スライダ４１を所定位置で待機させ、浮上を開始させる際には、適切な姿勢でディスク面上に浮上スライダ４１をローディングさせる必要がある。
【００４４】
本実施形態では、図８に示すように、支持アーム４３の先端を延長して先端部４５を形成し、浮上スライダ４１に空気流による浮上力が発生しない場合は、先端部４５がスタビライザ１１の光ディスク３と反対側の端面と接触して浮上スライダ４１の姿勢を保つようになっている。そして、光ディスク３がスピンドル５に固定されて記録再生を始める際は、光ディスク３が所定の回転数に達した後、光ディスク３の上下方向に配置されたスタビライザ１１ａ，１１ｂが光ディスク３の方向に移動する。光ディスク３と浮上スライダ４１の距離が接近すると、浮上スライダ４１に浮上力が発生し、これにより浮上スライダ４１はディスク面上を微小な間隔で浮上する。引き続き、スタビライザ１１を光ディスク３の方向に移動させ、スタビライザ１１と光ディスク３が所定の間隔に接近すると、図８に示すように、先端部４５とスタビライザ１１の端部が非接触となり、浮上スライダ４１は自由にディスク面上を浮上することが可能となる。
【００４５】
本実施形態によれば、光ディスク３の記録再生部分において振動や初期的な変形が抑制され、ディスク面を一定位置に保持できるため、エバネッセント光の技術を応用した浮上スライダを用いても良好な浮上特性を得ることができる。
【図面の簡単な説明】
【００４６】
【図１】本発明を適用してなる光ディスク装置の構成を示す斜視図である。
【図２】本発明を適用してなる光ディスク装置の正面図である。
【図３】図１の光ディスク装置においてスタビライザのディスク対向面を示す斜視図である。
【図４】本発明を適用してなる光ディスク装置の動作を説明する図である。
【図５】本発明を適用してなる光ディスク装置のスタビライザの移動機構を説明する断面図である。
【図６】図５と異なる他の態様を説明する断面図である。
【図７】本発明を適用してなる光ディスク装置のスライダ及びその駆動部の構成を示す斜視図である。
【図８】本発明を適用してなる光ディスク装置の断面図である。
【符号の説明】
【００４７】
１  光ディスク装置
３  光ディスク
５  スピンドル
７  光ピックアップ
９  支持アーム
１１ａ，１１ｂ  スタビライザ
１３  安定化部材
１９  ガイド
２３  間隔保持突起
２５  テーパ部
４１  浮上スライダ
【図１】
2006286050.tif 000004
【図２】
2006286050.tif 000005
【図３】
2006286050.tif 000006
【図４】
2006286050.tif 000007
【図５】
2006286050.tif 000008
【図６】
2006286050.tif 000009
【図７】
2006286050.tif 000010
【図８】
2006286050.tif 000011